(57)【要約】【課題】簡単かつ短時間で済むユーザ操作によって、読取機器から出力される磁気テープの録画データの必要な部分を記録媒体に記録することができる映像記録装置及び映像記録方法を提供する。【解決手段】本発明の映像記録装置は、ＤＶテープの録画データをＤＶ機器から記録媒体に記録する映像記録装置であって、ＤＶテープの録画データの録画日時情報取得し（ステップＳ１）、この調査により得られた録画日時情報に基づいて、ＤＶテープの録画データのリストであるダビング対象リストの表示信号を作成し（ステップＳ２）、表示信号を受信した表示装置に表示されたダビング対象リストの中からユーザが選択した部分の録画データを記録媒体に記録させるように、ＤＶ機器及び記録部の動作を制御する（ステップＳ３）。【選択図】図４
2007312054.tif 000002
【特許請求の範囲】
【請求項１】
磁気テープの録画データを読み取る読取機器との間で制御信号及びデータを送受信するインターフェース手段と、
前記読取機器から出力される磁気テープの録画データを、記録媒体に記録する記録手段と、
前記磁気テープの録画データの録画日時情報を取得する磁気テープ調査手段と、
前記磁気テープ調査手段により得られた録画日時情報に基づいて、前記磁気テープの録画データのリストであるダビング対象リストの表示信号を作成して出力するダビング対象リスト提示手段と、
前記表示信号を受信した表示装置に表示された前記ダビング対象リストの中からユーザが選択した部分の録画データを前記記録媒体に記録させるように、前記読取機器及び前記記録手段の動作を制御する制御手段と
を有することを特徴とする映像記録装置。
【請求項２】
前記磁気テープは、デジタルビデオテープであり、
前記読取機器は、ＩＥＥＥ１３９４規格に準拠するＡＶ／Ｃコマンドを用いて制御されるデジタルビデオ機器であり、
前記磁気テープ調査手段により得られた録画日時情報は、前記磁気テープに映像音声データと共に記録されているタイムコード、レコーディングデート、及びレコーディングタイムを含む
ことを特徴とする請求項１に記載の映像記録装置。
【請求項３】
前記タイムコード、レコーディングデート、及びレコーディングタイムを保存する内部メモリを有し、
前記制御手段は、前記内部メモリに保存されたレコーディングデート及びレコーディングタイムに基づいて、ダビング対象の録画データの区間を分ける
ことを特徴とする請求項２に記載の映像記録装置。
【請求項４】
ユーザ指示を入力する操作手段を有し、
前記制御手段は、前記ダビング対象の録画データの区間以外の区間について、前記磁気テープを早送りによりスキップする
ことを特徴とする請求項１乃至３のいずれかに記載の映像記録装置。
【請求項５】
磁気テープの録画データを読み取る読取機器から出力される磁気テープの録画データを、記録媒体に記録する映像記録方法であって、
前記磁気テープの録画データの録画日時情報を前記磁気テープの録画データを取得するステップと、
前記調査するステップにより得られた録画日時情報に基づいて、前記磁気テープの録画データのリストであるダビング対象リストの表示信号を作成して出力するステップと、
前記表示信号を受信した表示装置に表示された前記ダビング対象リストの中からユーザが選択した部分の録画データを前記記録媒体に記録させるように、前記読取機器及び前記記録手段の動作を制御するステップと
を有することを特徴とする映像記録方法。
【請求項６】
前記磁気テープは、デジタルビデオテープであり、
前記読取機器は、ＩＥＥＥ１３９４規格に準拠するＡＶ／Ｃコマンドを用いて制御されるデジタルビデオ機器であり、
前記録画日時情報は、前記磁気テープに映像音声データと共に記録されているタイムコード、レコーディングデート、及びレコーディングタイムを含む
ことを特徴とする請求項５に記載の映像記録方法。
【請求項７】
前記タイムコード、レコーディングデート、及びレコーディングタイムを保存する内部メモリを有し、
前記制御手段は、前記内部メモリに保存されたレコーディングデート及びレコーディングタイムに基づいて、ダビング対象の録画データの区間を分ける
ことを特徴とする請求項６に記載の映像記録方法。
【請求項８】
ユーザ指示を入力する操作手段を有し、
前記制御手段は、前記ダビング対象の録画データの区間以外の区間について、前記磁気テープを早送りによりスキップする
ことを特徴とする請求項５乃至７のいずれかに記載の映像記録方法。
【発明の詳細な説明】
【技術分野】
【０００１】
本発明は、デジタルビデオ（ＤＶ）機器に装着されたＤＶテープなどの磁気テープの録画データをハードディスクドライブ（ＨＤＤ）などの記録媒体にダビング（記録）する映像記録装置及び映像記録方法に関するものである。
【背景技術】
【０００２】
ＤＶカメラ及びハードディスク内蔵のＤＶＤレコーダの普及に伴い、ＤＶカメラでＤＶテープに映像音声データを記録し、その映像音声データをＨＤＤ又はデジタル多用途ディスク（ＤＶＤ）などの他の記録媒体にダビングすることが広く行なわれている。このとき、ＤＶテープの映像音声データの一部分を選択してダビングすることが広く行なわれている（例えば、特許文献１及び２参照）。
【０００３】
特許文献１に記載の情報記録装置では、ＤＶテープを再生させ、ユーザが画面を見ながらダビングしたい部分を探し、リモコンを使ってダビングの開始位置及び終了位置を指定する。この情報記録装置は、ダビングの開始位置及び終了位置を記憶し、この情報を用いてＤＶテープの目的の部分をダビングする。
【０００４】
特許文献２に記載の映像記録装置では、ダビング中にＤＶテープの映像と共にＤＶシーンカットキーと呼ばれるＧＵＩ（Ｇｒａｐｈｉｃａｌ  Ｕｓｅｒ  Ｉｎｔｅｒｆａｃｅ）を表示させる。ユーザは、ダビングしたくないシーンでリモコンを用いてＤＶシーンカットキーを操作し、ダビングを停止させる。このように、不要なシーンでダビングを停止することにより、目的の部分のみをダビングする。
【０００５】
【特許文献１】特開２００４−２２１８８４号公報（要約）
【特許文献２】特開２００５−３１８１８５号公報（要約）
【発明の開示】
【発明が解決しようとする課題】
【０００６】
しかしながら、特許文献１及び２に記載の装置は共に、ＤＶテープを再生させて、ユーザがＤＶテープに記録されている映像を見ながら、ダビングする位置（又は、カットする位置）を指定しなければならない。そのため、ダビングしたいシーンだけを選択的にダビングする場合、ユーザには、多大な時間と労力が必要になるという問題があった。
【０００７】
そこで、本発明は、上記従来技術の課題を解決するためになされたものであり、その目的は、簡単かつ短時間で済むユーザ操作によって、読取機器から出力される磁気テープの録画データの必要な部分を、記録媒体に記録することができる映像記録装置及び映像記録方法を提供することである。
【課題を解決するための手段】
【０００８】
本発明の映像記録装置は、磁気テープの録画データを読み取る読取機器との間で制御信号及びデータを送受信するインターフェース手段と、前記読取機器から出力される磁気テープの録画データを、記録媒体に記録する記録手段と、前記磁気テープの録画データの録画日時情報を取得する磁気テープ調査手段と、前記磁気テープ調査手段により得られた録画日時情報に基づいて、前記磁気テープの録画データのリストであるダビング対象リストの表示信号を作成して出力するダビング対象リスト提示手段と、前記表示信号を受信した表示装置に表示された前記ダビング対象リストの中からユーザが選択した部分の録画データを前記記録媒体に記録させるように、前記読取機器及び前記記録手段の動作を制御する制御手段とを有するものである。
【発明の効果】
【０００９】
本発明によれば、簡単かつ短時間で済むユーザ操作によって、読取機器から出力される磁気テープの録画データの必要な部分だけを、記録媒体に記録することができるという効果を得ることができる。
【発明を実施するための最良の形態】
【００１０】
実施の形態１．
図１は、本発明の実施の形態に係る映像記録装置２と、これに接続されたＤＶ機器１及び表示装置３を示すブロック図である。また、図２は、ＤＶテープに記録されるタイムコード及び録画日時の例を示す図である。
【００１１】
図１に示されるように、ＤＶ機器１には、磁気テープであるＤＶテープ１ａが内蔵されている。ＤＶ機器１は、ＤＶテープ１ａの録画データを読み取る読取装置（再生装置）としての機能を有する。ＤＶ機器１は、例えば、動画撮影用のＤＶカメラである。ＤＶテープ１ａには、映像データ及び音声データのほかに、タイムコード（Ｔｉｍｅ  Ｃｏｄｅ）、レコーディングデート（Ｒｅｃｏｒｄｉｎｇ  ｄａｔｅ）、及びレコーディングタイム（Ｒｅｃｏｒｄｉｎｇ  Ｔｉｍｅ）が記録されている。タイムコードは、時間（ｈ）、分（ｍ）、秒（ｓ）、フレーム（ｆ）を含んでおり、「△ｈ△△ｍ△△ｓ△△ｆ」の形式で表記される。図２に示されるように、ＤＶテープ１ａのように有記録部の先頭のタイムコードは、「０ｈ００ｍ００ｓ００ｆ」となる。レコーディングデートは、映像データ及び音声データが記録された年、月、日、曜日を示す。また、レコーディングタイムは、映像データ及び音声データが記録された時間、分、秒を示す。以後、レコーディングデートとレコーディングタイムを合わせて、「録画日時」と呼ぶ。
【００１２】
ＤＶ機器１は、ＤＶ端子４を備えており、映像記録装置２は、ＤＶ端子６を備えており、ＤＶ機器１のＤＶ端子４と映像記録装置２のＤＶ端子６は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４ケーブル５により接続されている。ＤＶ機器１は、映像記録装置２に対して、ＩＥＥＥ１３９４ケーブル５を用いて映像データや音声データなどを送信することができる。また、映像記録装置２は、ＩＥＥＥ１３９４ケーブル５を用いて、ＩＥＥＥ１３９４規格に定められるＡＶ／Ｃ（Ａｕｄｉｏ  Ｖｉｄｅｏ  Ｃｏｎｔｒｏｌ）コマンドを用いることで、ＤＶ機器１の制御、及びＤＶテープ１ａの情報を取得することができる。例えば、映像記録装置２は、ＡＶ／Ｃ  ＰＬＡＹコマンドを用いることで、ＤＶ機器１を再生状態や再生一時停止状態などにすることができ、ＡＶ／Ｃ  ＷＩＮＤコマンドを用いることで、ＤＶ機器１を早送り状態、巻き戻し状態、又は停止状態にすることができる。また、映像記録装置２は、ＡＶ／Ｃタイムコードコマンド、レコーディングデートコマンド、レコーディングタイムコマンドを用いることでそれぞれ、タイムコード、レコーディングデート、レコーディングタイムを取得することができる。但し、映像記録装置２が、ＤＶテープが無記録の箇所（無記録部）で、タイムコードコマンド、レコーディングデートコマンド、及びレコーディングタイムコマンドを発行すると、無効な値が返される。
【００１３】
映像記録装置２は、映像音声出力端子９を備えており、表示装置３は、映像音声入力端子７を備えている。映像音声出力端子９及び映像音声入力端子７の映像端子の具体例として、コンポジット端子やＤ端子などが挙げられ、音声端子の具体例として、ステレオピンジャックや光入出力端子などが挙げられる。また、映像及び音声の両者の入出力が可能な端子の具体例として、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子などが挙げられる。映像記録装置２の映像音声出力端子９と表示装置３の映像音声入力端子７は、映像音声ケーブル８により接続されており、映像記録装置２は、表示装置３に対して、表示すべき映像音声信号を送信することができる。
【００１４】
図３は、図１に示される映像記録装置２の構成を概略的に示すブロック図である。図３に示されるように、映像記録装置２は、インターフェース手段であるＤＶインターフェース（ＤＶＩ／Ｆ）１２と、ＭＰＥＧ（Ｍｏｖｉｎｇ  Ｐｉｃｔｕｒｅ  Ｅｘｐｅｒｔ  Ｇｒｏｕｐ）コーデック１３と、記録媒体１４ａにデータを記録する記録部１４と、表示制御部１５と、ＧＵＩ生成部１６と、リモコン受信部１７と、制御部１８と、内部メモリ１９とを有する。
【００１５】
図３において、ＤＶインターフェース１２は、ＤＶ機器１から送信される映像データ及び音声データをデコードし、デコードした信号をＭＰＥＧコーデック１３及び表示制御部１５に送信する。また、ＤＶインターフェース１２は、制御部１８からの指示に基づいて各種ＡＶ／ＣコマンドをＤＶ機器１に送信し、ＡＶ／Ｃコマンドの応答結果を制御部１８に送信する。
【００１６】
ＭＰＥＧコーデック１３は、ＤＶインターフェース１２から送信される映像音声信号をＭＰＥＧフォーマットに従いエンコードして記録部１４に送信する。また、ＭＰＥＧコーデック１３は、記録部１４から送信されるＭＰＥＧフォーマットのデータをデコードして表示制御部１５に送信する。
【００１７】
記録部１４は、ＭＰＥＧコーデック１３から送信されるＭＰＥＧフォーマットのデータを記録媒体１４ａに記録する。また、記録部１４は、記録媒体１４ａに記録されているＭＰＥＧフォーマットのデータをＭＰＥＧコーデック１３に送信する。記録媒体１４ａの具体例として、ハードディスクやＤＶＤなどが挙げられる。
【００１８】
表示制御部１５は、ＤＶインターフェース１２、ＭＰＥＧコーデック１３、ＧＵＩ生成部１６から送信される映像音声信号を合成して映像音声出力端子９を介して表示装置３に出力する。ＧＵＩ生成部１６は、制御部１８の指示にしたがってＧＵＩを生成し、表示制御部１５に送信する。リモコン受信部１７は、リモコン１１からの信号を受信し、制御部１８に伝える。なお、リモコン１１に代えて、映像記録装置２に備えられた操作部（図示せず）を用いてもよい。制御部１８は、映像記録装置２内の全ての回路部の制御を行なう。制御部１８には、内部メモリ１９が内蔵されている。
【００１９】
図４は、本発明の実施の形態に係る映像記録装置２において実行される、映像記録処理全体を示すフローチャートである。図４に示されるように、映像記録装置２の映像記録処理においては、ＤＶテープ１ａの録画データの録画日時情報をＤＶテープの録画データを読み取ることによって調査し（ステップＳ１）、この調査により得られた録画日時情報に基づいて、ＤＶテープ１ａの録画データのリストであるダビング対象リストの表示信号を作成し（ステップＳ２）、表示信号を受信した表示装置に表示されたダビング対象リストの中からユーザが選択した部分の録画データを記録媒体１４ａにダビング（記録）させるように、ＤＶ機器１及び記録部１４の動作を制御する（ステップＳ３）。
【００２０】
図５は、図４の磁気テープ調査処理（ステップＳ１）を詳細に示すフローチャートである。図５に示されるように、ＤＶテープ１ａの調査処理では、まず、映像記録装置２がＡＶ／Ｃコマンドを用いてＤＶ機器１を操作し、ＤＶ機器１によりＤＶテープ１ａを先頭まで巻き戻させる（ステップＳ１０１）。
【００２１】
ステップＳ１０１の処理後、映像記録装置２は、映像記録装置２の制御部１８の内部メモリ１９内にダビングリスト１件分のデータ領域を確保する（ステップＳ１０２）。ダビングリストのデータは、ダビングリスト番号、１枚のサムネイル画像のデータ、開始地点の録画日時、開始地点のタイムコード、終了地点のタイムコード、録画時間、有記録か無記録かを示すフラグ（以後「有記録フラグ」と言う。）、及びダビングするか否かを示すフラグ（以下「ダビングフラグ」と言う。）より構成する。それぞれのデータの初期値として、開始地点の録画日時は無効な値開始地点のタイムコードは「０ｈ００ｍ００ｓ００ｆ」、終了時点のタイムコードは「０ｈ００ｍ００ｓ００ｆ」、有記録フラグは「無記録」、ダビングフラグは「ダビングしない」、を設定する。
【００２２】
ステップＳ１０２の処理後、映像記録装置２は、ＤＶ機器１を再生一時停止状態にする（ステップＳ１０３）。再生一時停止状態になった後に、映像記録装置２の制御部１８は、映像記録装置２のＤＶインターフェース１２は、デコード状態か否かを調べる（ステップＳ１０４）。
【００２３】
ステップＳ１０４でデコード状態の場合、映像記録装置２の制御部１８は、ダビングリストの更新（ステップＳ１０５）を行なう。映像記録装置２の制御部１８は、この処理において、ダビングリストのデータの、有記録フラグを「有記録」とする。ダビングリスト更新後、映像記録装置２の制御部１８は、現在デコードしている画面をサムネイル画像としてダビングリストのデータ領域に保存する（ステップＳ１０６）。
【００２４】
ステップＳ１０６の処理後、映像記録装置２は、ＤＶ機器１に対してＡＶ／Ｃコマンドを送出することでタイムコードを取得し、その値をダビングリストデータの開始地点のタイムコードとして保存する（ステップＳ１０７）。その後、映像記録装置２は、ＤＶ機器１に対してＡＶ／Ｃ  コマンドを送出することで録画日時を取得し、その値をダビングリストデータの開始時点の録画日時として保存する（ステップＳ１０８）。
【００２５】
ステップＳ１０８の処理後、映像記録装置２は、ＤＶ機器１を早送り状態にする（ステップＳ１０９）。その後、映像記録装置２は、ＤＶ機器１からタイムコードを取得し（ステップＳ１１０）、録画日時を取得する（ステップＳ１１１）。
【００２６】
ステップＳ１１１で取得した録画日時が、前回取得した録画日時と比較して、日付が変わっていなかった場合、映像記録装置２の制御部１８は、ダビングリストデータの更新を行なう（ステップＳ１１３）。この処理では、映像記録装置２の制御部１８は、ステップＳ１１０で取得したタイムコードの値を、ダビングリストデータの終了地点のタイムコードとして保存する。そして、ＤＶテープの終端まで来ていなければ、処理をステップＳ１１０に戻し、録画日時の日付が変化するまで、ステップＳ１１０、Ｓ１１１、Ｓ１１３の処理を繰り返す。
【００２７】
ステップＳ１１１で取得した録画日時が、前回取得した録画日時と比較して、日付が変化した場合、映像記録装置２は、ＤＶ機器１を停止状態にする（ステップＳ１２０）。なお、録画日時の日付が変化するということには、前回取得した録画日時が有効な値で今回取得した録画日時が無効な値であったケース、及び前回取得した録画日時が無効な値で今回取得した録画日時が有効な値のケース、が含まれる（以後の「録画日時が変化した」という表現も同様の扱いとする）。
【００２８】
ステップＳ１２０の処理後、映像記録装置２の制御部１８は、ダビングリストデータの開始地点のタイムコードと終了時点のタイムコードから録画時間を算出する（ステップＳ１２１）。そして、映像記録装置２の制御部１８は、算出した録画時間が一定時間未満の場合、そのダビングリストデータを削除し（ステップＳ１２３）し、処理をステップＳ１０２に戻す。映像記録装置２の制御部１８は、録画時間が一定時間以上の場合、ダビングリストデータを削除せずに、処理をステップＳ１０２に戻す。
【００２９】
ステップＳ１０４で非デコード状態の場合、映像記録装置２の制御部１８は、ダビングリストの更新をする（ステップＳ１１５）。この処理では、ダビングリストデータの、有記録フラグを「無記録」とする。その後、映像記録装置２は、ＤＶ機器１を早送り状態にする（ステップＳ１１６）。
【００３０】
ステップＳ１１６の処理後、映像記録装置２は、録画日時の取得を行なう（ステップＳ１１７）。録画日時が取得できなかった場合、テープの終端まで来ていなければ、処理をステップＳ１１７へ戻し、録画日時が取得できるまで、ステップＳ１１７の処理を繰り返す。録画日時を取得できた場合、処理をステップＳ１２０に進める。
【００３１】
そして、ステップＳ１１４、又はステップＳ１１９において、ＤＶテープ１ａの終端まできた時点で、図４のステップＳ１のＤＶテープの調査処理を終了する。
【００３２】
図６は、図４のダビングリスト提示処理（ステップＳ２）を詳細に示すフローチャートである。図６に示されるように、ダビングする部分の選択処理では、まず、映像記録装置２は、ＤＶ機器１を巻き戻し状態にする（ステップＳ２０１）。
【００３３】
ステップＳ２０１の処理後、映像記録装置２は、表示制御部２からダビングリストの表示信号を出力して表示装置３にダビングリストを表示させる（ステップＳ２０２）。映像記録装置２は、全ダビングリストのデータから、有記録フラグが「有記録」となっているデータについて表示する。表示するデータは、ダビングするか否かを示すマーク、サムネイル用の画像、開始地点の録画日時、及び録画時間、である。図７にダビングリストの表示の一例を示す。図７において、１０１は、ダビングリスト１件分のデータを表示する領域である。１０２は、ダビングするか否かを示すチェックボックスであり、ダビングする場合にユーザのリモコン操作によってチェックを入れる。１０３は、サムネイル画像である。１０４は、録画日時と録画時間を表示するための領域であり、図７の例では、録画時間を分単位で表示している。１０５は、ダビングリストを選択するための枠であり、リモコンの上下ボタン等で移動することができる。ダビングリストを変更するときは、この枠を望みのダビングリストに合わせて、決定ボタンを押してチェックボックス１０２にチェックを入れる。なお、図７において、１０６は、スクロールバー、１０７は、録画開始及び録画中止の際に押すボタンの解説である。
【００３４】
ステップＳ２０２のダビングリストの表示後、映像記録装置２は、ユーザのダビングリストの選択を受け付ける（ステップＳ２０３）。ユーザが決定ボタンを押すと、その決定ボタンが押されたダビングリストデータの、ダビングフラグを、「ダビングする」から「ダビングしない」へ、又は、「ダビングしない」から「ダビングする」へ、変更する（ステップＳ２０４）。そして、映像記録装置２の制御部１８は、このダビングフラグのデータ変更を、画面上のチェックボックス１０２に反映させる（ステップＳ２０５）。
【００３５】
ＤＶテープ１ａの先頭までの巻き戻しが完了し、かつユーザがダビング開始の指示を出した場合に、ステップＳ２のダビングする部分の選択処理を終了する（ステップＳ２０６）。
【００３６】
図８は、図４のダビング実行処理（ステップＳ３）の詳細を示すフローチャートである。また、図９は、図８の編集処理（ステップＳ３１０）の内容を示す説明図である。
【００３７】
図８に示されるように、ダビング実行処理では、映像記録装置２の制御部１８は、まず、ダビングリストデータの最初のリストをダビングするか否かを判断する（ステップＳ３０１）。映像記録装置２の制御部１８は、最初のリストをダビングする場合、処理をステップＳ３０２へ進め、最初のリストをダビングしない場合は、処理をステップＳ３１１に進める。
【００３８】
ステップＳ３０１で最初のダビングリストをダビングする場合、映像記録装置２は、ＤＶ機器１を再生一時停止状態にする（ステップＳ３０２）。その後、映像記録装置２の制御部１８は、ＤＶ機器１の再生と映像記録装置２の記録部１４による録画を同時に開始することにより、ダビングを開始する（ステップＳ３０３）。
【００３９】
ステップＳ３０３のダビング開始後、映像記録装置２は、録画日時を取得する（ステップＳ３０４）。映像記録装置２は、録画日時の日付が変化しない間は、ステップＳ３０３の録画日時の取得をしながらダビングを継続させる。映像記録装置２の制御部１８は、録画日時の日付が変化した場合、録画した番組の日付が変わる箇所にチャプターマークを付けるように記録部１４を制御する（ステップＳ３０６）。
【００４０】
ステップＳ３０６の処理後、映像記録装置２の制御部１８は、次のダビングリストをダビングするかどうかを判断する（ステップＳ３０７）。映像記録装置２の制御部１８は、次のダビングリストをダビングする場合、処理をステップＳ３０４に戻し、ダビングを続行する。映像記録装置２の制御部１８は、次のダビングリストをダビングしない場合、ＤＶ機器１の再生と映像記録装置２の記録部１４による録画を同時に停止させることにより、ダビングを停止する（ステップＳ３０８）。
【００４１】
ステップＳ３０８のダビング停止後、映像記録装置２の制御部１８は、ダビングするリストが残っているか否かを判定する（ステップＳ３０９）。映像記録装置２の制御部１８は、ダビングするリストが残っていれば、処理をステップＳ３１１に進め、残っていなければ、処理をステップＳ３１０に進める。
【００４２】
ステップＳ３０９において、映像記録装置２は、ダビングするリストが残っている場合、ＤＶ機器１を早送り状態にする（ステップＳ３１１）。その後、映像記録装置２は、録画日時を取得する（ステップＳ３１２）。映像記録装置２は、録画日時の日付が変化しない場合は、処理をステップＳ３１２に戻す。映像記録装置２は、録画日時が変化した場合、次のダビングリストをダビングする場合は、処理をステップＳ３１５に進め、次のダビングリストをダビングしない場合は、処理をステップＳ３１２に戻す。
【００４３】
ステップＳ３１４で次のリストをダビングする場合、映像記録装置２は、ＤＶ機器１を逆再生状態にする（ステップＳ３１５）。映像記録装置２は、逆再生状態で録画日時を取得し（ステップＳ３１６）、録画日時の日付が変化した場合は、処理をステップＳ３０２に進める。
【００４４】
ステップＳ３１０において、ダビングするリストが残っていない場合、映像記録装置２は、処理を編集処理（ステップＳ３１０）へ進める。この編集処理では、映像記録装置２の記録媒体１４ａへダビングした映像及び音声データの編集を行なう。例として、図９のようなＤＶテープ１ａをダビングする場合を考える。図９において、日付２及び日付３の部分をダビングすると、記録媒体１４ａには日付２及び日付３の前後に余分にダビングが行なわれる。そして、日付が変わる箇所にチャプターマークが付けられる。編集処理では、チャプターマークの箇所で映像及び音声のデータを分離し、日付２及び日付３の前後の余計な部分を削除する。
【００４５】
以上に説明したように、本発明の実施の形態に係る映像記録装置２によれば、簡単かつ短時間で済むユーザ操作によって、ＤＶ機器１から出力されるＤＶテープ１ａの録画データの必要な区間を指定して記録媒体１４ａにダビング（記録）することができる。映像記録装置を提供する。
【００４６】
また、本発明の実施の形態に係る映像記録装置２によれば、ＤＶ機器１によるＤＶテープ１ａの早送りの状態で、タイムコードなどの情報を取得できるので、磁気テープ調査ステップＳ２を短時間で行なうことができる。
【００４７】
さらに、本発明の実施の形態に係る映像記録装置２によれば、レコーディングデート及びレコーディングタイムを元に、ダビングを行なう区間を分けることができる。
【００４８】
さらにまた、本発明の実施の形態に係る映像記録装置２によれば、ダビングの際に、ダビングを行なわない区間は早送りによりスキップするため、ダビングを高速に行なうことができる。
【００４９】
実施の形態２．
上記実施の形態１においては、図５のステップＳ１１２、図８のステップＳ３０５、ステップＳ３１３、ステップＳ３１７において、録画日時の日付が変化したか否かにより条件分岐をしている。すなわち、ダビングする区間の区切りを録画日時の日付が変化する地点としている。一方、録画日時の日付の変化以外の基準でダビングの区間を区切ってもよい。例えば、前回取得した録画日時と今回取得した録画日時の差が１時間以上ある場合にダビングの区間を区切る、としてもよい。
【００５０】
実施の形態２において、上記以外の点は、上記実施の形態１の場合と同じである。よって、実施の形態２に係る映像情報記録装置によれば、実施の形態１の場合と同様の効果を得ることができる。
【図面の簡単な説明】
【００５１】
【図１】本発明の実施の形態に係る映像記録装置と、これに接続されたＤＶ機器及び表示装置を示すブロック図である。
【図２】ＤＶテープに記録されるタイムコード及び録画日時の例を示す図である。
【図３】図１に示される映像記録装置の構成を概略的に示すブロック図である。
【図４】本発明の実施の形態に係る映像記録装置において実行される映像記録処理全体を示すフローチャートである。
【図５】図４の磁気テープ調査ステップＳ１における処理を詳細に示すフローチャートである。
【図６】図４のダビングリスト提示ステップＳ２における処理を詳細に示すフローチャートである。
【図７】図６のダビングリスト表示ステップＳ２０２において、表示装置に出力するダビングリストの例を示す図である。
【図８】図４のダビング実行ステップＳ３における処理を詳細に示すフローチャートである。
【図９】図８の編集処理ステップＳ３１０の内容を示す説明図である。
【符号の説明】
【００５２】
１  ＤＶ機器、  １ａ  ＤＶテープ、  ２  映像記録装置、  ３  表示装置、  ４  ＤＶ機器のＤＶ端子、  ５  ＩＥＥＥ１３９４ケーブル、  ６  映像記録装置のＤＶ端子、  ７  映像音声入力端子、  ８  映像音声ケーブル、  ９  映像音声出力端子、  １１  リモコン、  １２  ＤＶインターフェース、  １３  ＭＰＥＧコーデック、  １４  記録部、  １４ａ  記録媒体、  １５  表示制御部、  １６  ＧＵＩ生成部、  １７  リモコン受信部、  １８  制御部、  １９  内部メモリ。
【図１】
2007312054.tif 000003
【図２】
2007312054.tif 000004
【図３】
2007312054.tif 000005
【図４】
2007312054.tif 000006
【図５】
2007312054.tif 000007
【図６】
2007312054.tif 000008
【図７】
2007312054.tif 000009
【図８】
2007312054.tif 000010
【図９】
2007312054.tif 000011